(57)【特許請求の範囲】
【請求項１】
電子機器のハウジングの開口部を介して出し入れ可能なカード収納用トレイであって、
カードを保持して前記開口部を介して前記ハウジングに収納可能なカード保持部と、
前記ハウジングに収納された前記カード保持部を前記開口部から引き出すつまみ部と、
前記つまみ部を、カード保持部に最も近接する格納位置と、カード保持部から最も離隔する突出位置との間で移動可能とする移動手段と、を有し、
前記つまみ部が、その自重によって、格納位置と突出位置との間を移動可能としたことを特徴とするカード収納用トレイ。
【請求項２】
前記つまみ部は、前記移動手段によって、前記ハウジングの開口部において、前記カード収納用トレイの出し入れ方向に移動可能であることを特徴とする請求項１に記載のカード収納用トレイ。
【請求項３】
前記移動手段は、前記つまみ部に形成したガイド穴と、前記ガイド穴を貫通し両端部が前記カード保持部に固定されたガイド軸とを備え、前記ガイド軸が前記ガイド穴に沿って相対的に移動することにより、前記つまみ部が、格納位置と突出位置との間を移動可能としたことを特徴とする請求項１または請求項２に記載のカード収納用トレイ。
【請求項４】
前記移動手段が、前記カード保持部および前記つまみ部の所定の箇所に設けられた軸からなり、前記つまみ部が前記軸を中心に所定の角度回転することによって、前記つまみ部の一部が格納位置と突出位置との間で移動することを特徴とする請求項１または請求項２に記載のカード収納用トレイ。
【請求項５】
前記カード保持部は、つまみ部を保持するためのつまみ保持部を一体に有し、
前記軸は、つまみ保持部に設けられており、
前記つまみ部が格納位置と突出位置との間を移動することに伴う前記カード収納用トレイの出し入れ方向に沿った可動範囲寸法が、前記つまみ部が格納位置にある状態におけるつまみ部とつまみ保持部のカード収納用トレイの出し入れ方向に沿った寸法よりも大きいことを特徴とする請求項４に記載のカード収納用トレイ。
【請求項６】
請求項１から請求項５までの何れか一項に記載のカード収納用トレイであって、電子機器のハウジングの開口部を介して電子機器のハウジングに収容可能なカード収納用トレイと、前記電子機器のハウジングの開口部を閉塞可能なキャップとを備えることを特徴とするカード収納構造。
【請求項７】
請求項６に記載のカード収納構造を有することを特徴とする携帯型電子機器。
【発明の詳細な説明】
【技術分野】
【０００１】  本発明は、カード収納用トレイ、カード収納構造およびカード収納構造を利用した電子機器に関する。
【背景技術】
【０００２】  従来、携帯電話などの電子機器において、外部アクセスにてメモリカードを着脱するトレイタイプのカードコネクタを搭載したものが普及している（例えば、特許文献１参照）。この種のカードコネクタでは、電子機器のハウジングの外部からメモリカードを抜き差しする開口部を介してコネクタ内に塵などが入り込むことを防止したり、あるいは外観性を高めるため、開口部にキャップが設けられたりしている。【０００３】  近年では、電子機器の使用環境の広がりにより、キャップによる防水性が望まれている。この種のキャップにおいて、Ｏリングを利用して防水性を維持する構造が開発されている（例えば、特許文献２参照）。このキャップによれば、Ｏリングの使用により、高防水性および高耐久性を両立することができる。
【先行技術文献】
【特許文献】
【０００４】
【特許文献１】  特開２００２−２１６０８２号公報
【特許文献１】  特開２０１１−２４４２４７号公報
【発明の概要】
【発明が解決しようとする課題】
【０００５】  しかしながら、従来の電子機器の防水性を有するキャップにあっては、Ｏリングなどを利用した防水構造の小型化は困難である。特に、キャップの厚み方向には、ある程度の長さを確保する必要が生じてしまう。このため、開口部もまた厚み方向に長くなってしまうので、コネクタがハウジングの奥側に配置されるようになってしまう。【０００６】  この場合、コネクタのトレイを最奥部に収納した状態では、使用者はキャップを外して指先をトレイに引っ掛けて取り出そうとしても、トレイが奥側にあるため指先が届きにくい。これにより、使用者はトレイに指や爪を引っ掛けることが困難になってしまい、トレイを排出しにくいか、状況によってはトレイを排出できない可能性があるという問題があった。【０００７】  これを解決するために、開口部の開口面積を大きくして指先を入れ易くすることが考えられるが、その場合はハウジング全体の大型化を招いてしまう。【０００８】  本発明は、このような問題を解決するためになされたもので、カードを保持するトレイをハウジングから容易に取り出すことができるカード収納用トレイ、カード収納構造およびカード収納構造を利用した電子機器を提供することを目的とする。
【課題を解決するための手段】
【０００９】  本発明に係るカード収納用トレイは、上記目的の達成のため、電子機器のハウジングの開口部を介して出し入れ可能なカード収納用トレイであって、カードを保持して前記開口部を介して前記ハウジングに収納可能なカード保持部と、前記ハウジングに収納された前記カード保持部を前記開口部から引き出すつまみ部と、前記つまみ部を、カード保持部に最も近接する格納位置と、カード保持部から最も離隔する突出位置との間で移動可能とする移動手段とを有し、つまみ部２２が、その自重によって、格納位置と突出位置との間を移動可能としたことを特徴とする。【００１０】  また、本発明に係るカード収納構造は、電子機器のハウジングの開口部を介して該電子機器のハウジングに収容可能なカード収納用トレイと、前記電子機器のハウジングの開口部を閉塞可能なキャップとを備えることを特徴とする。【００１１】  本発明のこれらの構成によると、ハウジングの内部からトレイを取り出す際に、キャップを開口部から取り外した上で、トレイとハウジングとを含む機器を適宜傾斜させることによって、つまみ部が、その自重によって、キャップを取り付けていた開口部からハウジングの外部まで、あるいは開口部の内側であっても開口部の近くまで移動するので、使用者は指先あるいは爪をつまみ部に引っ掛けることができるようになる。これにより、従来のように指先や爪がトレイに届かない場合に比べて、ハウジングからトレイおよびカードを容易に取り出すことができる。【００１２】  また、本発明に係る電子機器は、上記目的達成のため、上述したカード収納構造を有するよう構成することを特徴とする。この構成により、上述したカード収納構造を搭載した電子機器では、電子機器に装着した例えばメモリカードやＩＣカードなどのカードを取り出す際に、使用者は指先あるいは爪をつまみ部に引っ掛けることができ、ハウジングからトレイおよびカードを容易に取り出すことができるようになる。
【発明の効果】
【００１３】  本発明によれば、カードを保持するカード収納用トレイをハウジングから容易に取り出すことができる、カード収納用トレイ、カード収納構造およびカード収納構造を利用した電子機器を提供することができる。
【図面の簡単な説明】
【００１４】
【図１】  本発明の実施の形態に係るカード収納用トレイを示す斜視図であり、（ａ）はつまみ部が突出位置にある状態、（ｂ）はつまみ部が格納位置にある状態をそれぞれ示す。
【図２】  本発明の実施の形態に係るカード収納構造のキャップが閉塞された状態を示す斜視図である。
【図３】  図２のＩＩ−ＩＩ線方向に見た状態を示す断面図である。
【図４】  本発明の実施の形態に係るカード収納構造からカード収納用トレイを取り出す際に、カード収納用トレイのつまみ部が突出位置にあり、ハウジングの開口部から突出した状態を示す斜視図である。
【図５】  本発明の実施の形態に係るカード収納構造からカード収納用トレイを引き出した状態を示す斜視図である。
【図６】  本発明の実施の形態に係るカード収納構造を示す断面図であり、（ａ）はトレイをハウジングの開口部に挿入する直前の状態、（ｂ）はトレイのカード保持部を開口部に挿入した状態、（ｃ）はつまみ部を押しながらトレイをコネクタの最奥部まで挿入した状態、（ｄ）はキャップを閉塞した状態をそれぞれ示す。
【図７】  本発明の実施の形態に係るカード収納構造を示す断面図であり、（ａ）はキャップを閉塞した状態、（ｂ）はキャップを開口部から取り外した状態、（ｃ）はキャップを開口部から取り外して携帯電話を傾斜させた状態、（ｄ）はトレイを引き出し始めた状態をそれぞれ示す。
【図８】  本発明の第２の実施の形態に係るトレイの斜視図であり、（ａ）はつまみ部が格納位置にある状態、（ｂ）はつまみ部が突出位置にある状態をそれぞれ示す。
【図９】  本発明の第２の実施の形態に係るカード収納構造の斜視図であり、（ａ）はトレイがコネクタの最奥部まで挿入されて、つまみ部が格納位置にある状態を、（ｂ）はトレイをコネクタから引き出し始めて、つまみ部が突出位置にある状態をそれぞれ示す。
【図１０】  本発明の第３の実施の形態に係るトレイの斜視図であり、つまみ部が突出位置にある状態を示す。
【発明を実施するための形態】
【００１５】  以下、本発明の実施の形態について、図面を参照して説明する。本実施の形態においては、本発明に係るカード収納用トレイを収容するカード収納構造を携帯型電子機器としての携帯電話に搭載した場合について説明する。
【００１６】  まず、図１から図５を参照しながら、本発明の実施の形態に係るカード収納用トレイ（以下、単に、「トレイ」という）２０、カード収納構造１およびカード収納構造を利用した携帯型電子機器の構成について説明する。
【００１７】  図１に示すように、トレイ２０は、カード保持部２１とつまみ部２２とを備える。カード保持部２１は、例えばマイクロＳＤカードのようなメモリカードや、ＳＩＭカードのようなＩＣカード（以下、カード６０と総称する）を保持する。
【００１８】  ハウジング１０が、携帯型電子機器の一例の携帯電話の筐体と兼用されている。ハウジング１０は、図４および図５に示すように、トレイ２０を挿通させるための開口部１１を有しており、トレイ２０を開口部１１を介してハウジング１０内に収納することができる。
【００１９】  つまみ部２２は、図２に示すようにトレイ２０がハウジング１０に収納されている場合に、図４および図５に示すように、トレイ２０を開口部１１から引き出すために用いるものである。
【００２０】  図１（ａ）および図１（ｂ）に基づいて詳述すると、つまみ部２２は、カード保持部２１のカードが収容されない部分に形成された切欠部２４に収容される大きさに形成されており、トレイ２０の出し入れ方向Ａを長手方向とするガイド穴２２ａを備える。切欠部２４は、対向する一対の側面とそれらの側面を連結する底面とを有する。また、カード保持部２１の引き出し方向の先端側には、幅方向を長手方向としてガイド穴２２ａを貫通するガイド軸２３が設けられている。つまみ部２２は、ガイド軸２３に保持されていて、ガイド軸２３がガイド穴２２ａに沿って相対的に移動することにより、出し入れ方向Ａに沿って移動することができる。ガイド穴２２ａおよびガイド軸２３は移動手段を構成する。ここで、ガイド軸２３とガイド穴２２ａとの間のフリクションは十分に小さく設定されており、つまみ部２２は、携帯電話を傾斜させることで、つまみ部２２自身の自重によって移動することができる。
【００２１】  これにより、つまみ部２２は、カード保持部２１に対して、図１（ａ）に示すように、切欠部２４から最も引き出された状態、すなわち、カード保持部から最も離隔した状態である突出位置と、図１（ｂ）に示すように、切欠部２４に最も押し込まれた状態、すなわち、カード保持部に最も近接した状態である格納位置との間で移動し、カード保持部２１に対する相対位置を変化させることができる。
【００２２】  図２および図３に示すように、キャップ３０は、ハウジング１０にカード保持部２１を収納した後に防水や防塵のために開口部１１を閉塞することができる。本実施の形態では、キャップ３０は、開口部１１に対して、出し入れ方向Ａに沿って着脱可能なものとしている。キャップ３０の開閉方式としては、出し入れ方向Ａに沿って着脱可能なものに限られず、例えば、出し入れ方向Ａとは直交する幅方向に摺動することで着脱可能になるものであってもよい。
【００２３】  つまみ部２２が突出位置の方向へと移動するように携帯電話を傾斜させた場合、図１（ａ）に示すように、つまみ部２２は、カード保持部２１の切欠部２４の底面から離隔した位置である突出位置にある。その状態から、つまみ部２２が格納位置の方向へと移動するように携帯電話を傾斜させた場合、あるいは、つまみ部２２をカード保持部２１へ向かって押し込んだ場合、つまみ部２２は、格納位置の方向へと移動し、最終的には、図１（ｂ）に示すように、格納位置に至る。
【００２４】  この後、図３に示すように、キャップ３０によって開口部１１を閉塞すると、つまみ部２２が突出位置の方向へと移動するように携帯電話を傾斜させたとしても、つまみ部２２が自重によって突出位置へ向けて移動することはない。尚、キャップ３０とハウジング１０との間の係合の構造は、つまみ部２２の自重による突出位置方向への移動を抑えることができるものであればどのようなものであってもよく、例えば、摩擦を利用したり、係合部をそれぞれに設けたりする構造であってもよい。
【００２５】  図１に示すように、つまみ部２２の引出し方向の先端部には係止穴２２ｂを備える。係止穴２２ｂに爪を引っ掛けることによってトレイ２０をハウジング１０から引き出すことができる。
【００２６】  コネクタ５０は、ケース５１と、コネクタ電極５２と、トレイセンサ５３と、シールドカバー５４とを備える。
【００２７】  ケース５１は、トレイ２０を収容して保持可能であるとともに、携帯電話の基板７０に固定されている。
【００２８】  コネクタ電極５２は、トレイ２０に保持されたカード６０の端子６１と、基板７０に形成された端子とを電気的に接続する。
【００２９】  トレイセンサ５３は、トレイ２０がケース５１に完全に挿入された場合にトレイ２０の先端部が当接するとオンとなるスイッチにより形成されている。このトレイセンサ５３の短絡を電気的に検出することで、トレイ２０が挿入されたことを検知することができる。
【００３０】  シールドカバー５４は、トレイ２０がケース５１に収納されるように、ケース５１を覆って設けられている。
【００３１】  次に、動作について説明する。
【００３２】  まず、携帯電話にカード６０を装着する動作について説明する。
【００３３】  図６（ａ）に示すように、最初に、使用者は、カード収納構造１のハウジング１０の開口部１１へトレイ２０を近づける。つまみ部２２の位置について、図６（ａ）では、便宜上、カード保持部２１から離隔した突出位置にある状態を示しているが、構造上、この状態に限らず、つまみ部２２は、突出位置と格納位置との間の任意の位置にあってよい。
【００３４】  次に、図６（ｂ）では、使用者は、トレイ２０を挿入方向の先端部から開口部１１に挿入させる。この場合、使用者は、つまみ部２２の先端部を押すことでトレイ２０を挿入させることが想定されるため、図６（ｂ）では、つまみ部２２が格納位置にあるものとして記載している。
【００３５】  図６（ｃ）では、使用者は、トレイ２０を奥まで押し込んでコネクタ５０に装着する。この場合には、使用者は、開口部１１から指先でつまみ部２２を押し込むことによって、トレイ２０を最奥部まで押し込む。このため、つまみ部２２は、図６（ｂ）と同様に格納位置にある。
【００３６】  この後、図６（ｄ）に示すように、使用者は、開口部１１をキャップ３０により閉塞する。これにより、携帯電話は、カード６０が装着された通常の使用状態になる。
【００３７】  ここでは、トレイ２０を最奥部に押し込んでからキャップ３０を取り付けているが、装着手順はこれには限られず、例えば、トレイ２０をコネクタ５０の最奥部の少し手前まで押し込んでおき、キャップ３０を取り付け、キャップ３０を押し込むことによってトレイ２０をコネクタ５０の最奥部まで押し込むようにしてもよい。
【００３８】  次に、携帯電話からカード６０を取り出す動作について説明する。図７（ａ）に示すように、携帯電話にカード６０が装着された状態では、カード６０を保持するトレイ２０がコネクタ５０の最奥部に位置するとともに、キャップ３０が閉塞されている。この時、つまみ部２２は格納位置にある。
【００３９】  図７（ｂ）に示すように、使用者がキャップ３０を開口部１１から取り外しても、携帯電話が水平に保たれている間は、つまみ部２２に対して、出し入れ方向Ａに沿う方向の重力が作用しないため、つまみ部２２が移動することはなく、依然として格納位置にある。尚、この時点では、カード保持部２１はコネクタ５０から引き出されていない。
【００４０】  図７（ｃ）に示すように、使用者が、キャップ３０を開口部１１から取り外した上で、開口部１１を下側へ向けるように携帯電話を傾斜させると、つまみ部２２に対して出し入れ方向Ａに沿う方向の重力が作用するので、その重力によって、すなわち、つまみ部２２の自重によって、つまみ部２２が突出位置へと移動し、つまみ部２２の端部が開口部１１から突出した状態となる。使用者は、つまみ部２２の先端部に形成されている係止穴２２ｂに爪を引っ掛けることにより、容易に、つまみ部２２を開口部１１から引き出すことができる。
【００４１】  そして、図７（ｄ）に示すように、使用者は、つまみ部２２の係止穴２２ｂに爪を引っ掛けて、さらに、つまみ部２２を開口部１１から外側に引き出す。これにより、カード保持部２１がコネクタ５０から引き出される。この後、最終的に、使用者はトレイ２０の全体を開口部１１から引き出して、カード６０をトレイ２０から取り出すことができ、図６（ａ）に示した状態へと戻る。
【００４２】  以上のように、本実施の形態に係るカード収納構造１によれば、使用者は容易に指先あるいは爪をつまみ部２２の係止穴２２ｂに引っ掛けることができる。これにより、従来のように指先や爪がトレイに届かない場合に比べて、ハウジング１０からトレイ２０およびカード６０を容易に取り出すことができるようになる。
【００４３】  このように、キャップ３０を外して、携帯電話を適宜傾斜させるだけで、つまみ部２２がトレイ２０の取り外しを容易なものとする突出位置へと移動するため、つまみ部２２やトレイ２０を移動させる手段を別に設けることを必要としない。
【００４４】  上述した本実施の形態のカード収納構造１においては、つまみ部２２はカード保持部２１に対して、出し入れ方向Ａに沿って、直線方向に移動する場合について説明している。しかしながら、本発明に係るカード収納構造においては、これに限られず、つまみ部２２の移動の形態として、直線方向のみの移動以外の各種の移動を含むことができる。例えば、つまみ部２２の一端がカード保持部２１を含む面に対し直交する１軸線を中心にその面内で回転可能に設けられ、つまみ部２２が、その軸線を中心に回転するようにカード保持部２１から離隔するように移動するようにしてもよい。以下に、図８と図９とを参照しながら、そのような本発明の第２の実施の形態に係るトレイを説明する。
【００４５】  図８に示すように、本実施の形態に係るトレイは、つまみ部７２を有する。つまみ部７２は、矩形のプレート片からなり、一方の端部は、カード保持部２１に固定されたつまみ保持部７６に回転自在に保持され、他方の端部は、トレイを引き出す際に使用者の指先の爪が引っ掛かることのできる係止部７２ｂを有する。
【００４６】  詳述すると、つまみ保持部７６は、プレートを折り曲げて形成した上部プレート７６ａと下部プレート７６ｂとからなり、上部プレート７６ａと下部プレート７６ｂとの隙間には、つまみ部７２が配置されている。上部プレート７６ａ、下部プレート７６ｂおよびつまみ部７２を移動手段の軸７５が貫通していて、つまみ部７２が軸７５の周りを回転することができる。軸７５の両端部は軸芯部分より径が大きく形成されていて、上部プレート７６ａおよび下部プレート７６ｂに形成された貫通孔から軸７５が抜け出るのを防止している。
【００４７】  つまみ部７２と軸７５との間のフリクションは十分に小さく設定されており、つまみ部７２は、携帯電話を適宜傾斜させることで、つまみ部７２自身の自重によって、図８（ａ）に示される格納位置と、図８（ｂ）に示される突出位置との間で自在に回動することができる。つまみ部７２が回転すると、つまみ部７２の係止部７２ｂは、出し入れ方向Ａに沿って、カード保持部２１から最も離れた位置とカード保持部２１に最も近接した位置との間で変位することができる。
【００４８】  図８と図９を参照しながら、本発明の第２の実施の形態に係るトレイを例えば携帯電話のハウジングに設けられたコネクタのケース５１から取り出す動作を説明する。
【００４９】  本実施の形態に係るトレイがハウジング（図示せず）のコネクタのケース５１内に収容されている場合には、例えば、図２および図３に示すように、ハウジング１０の開口部１１がキャップ３０によって閉じられている。この状態では、キャップ３０がつまみ部７２の係止部７２ｂを押さえているため、使用者が、携帯電話を傾斜させても、つまみ部７２は回転せず、図９（ａ）に示すように、つまみ部７２の係止部７２ｂがカード保持部２１に最も近接している格納位置に保たれている。
【００５０】  使用者が、キャップ３０を開口部１１から取り外した上で、開口部１１を下側へ向けるように携帯電話を傾斜させると、つまみ部７２に対して出し入れ方向Ａに沿う方向の重力が作用するので、その重力によって、すなわち、つまみ部７２の自重によって、図８（ｂ）に示すように、つまみ部７２が突出位置へと移動する。図示していないが、この状態では、つまみ部７２の端部が、キャップ３０が取り外された開口部１１から突出した状態となる。この状態で、使用者が、つまみ部７２の先端部に形成されている係止穴７２ｂに爪を引っ掛けて、つまみ部７２引っ張ると、図９（ｂ）に示すように、コネクタのケース５１からトレイを抜き出すことができる。
【００５１】  このように、本実施の形態によると、キャップを外して、携帯電話を適宜傾斜させるだけで、つまみ部７２が回転して、つまみ部７２の係止部７２ｂが開口部から突出するので、使用者は、その突出した係止部７２ｂに爪を引っ掛けることにより、容易に、つまみ部７２を開口部から引き出すことができる。また、キャップの構造を問わずにどのようなコネクタにも本実施の形態に係るトレイを使用することができる。
【００５２】  図１０に、本発明の第３の実施の形態に係るトレイを示す。尚、本実施の形態に係るトレイは第２の実施の形態に係るトレイの一部を改良したものであり、基本的な構成は第２の実施の形態と同様であるので、同じ符号を用いている。
【００５３】  本実施の形態に係るトレイの具体的な改良点は、本発明の第２の実施の形態に係るトレイに対して、つまみ部７２とつまみ保持部７６とを小型化するとともに、つまみ部７２とつまみ保持部７６とにおける軸７５の位置をトレイ２０の幅方向左側へ移設したことにある。このようにすることによって、つまみ部７２が格納位置と突出位置との間を移動することに伴う出し入れ方向Ａに沿った可動範囲寸法ｄ２を、つまみ部７２が格納位置にある状態におけるつまみ部７２とつまみ保持部７６の出し入れ方向Ａに沿った寸法ｄ１よりも大きくすることができる。すなわち、つまみ部７２およびつまみ保持部７６の出し入れ方向Ａに沿う方向の寸法ｄ１を小さくすることでトレイ２０を小型化する一方で、つまみ部７２の出し入れ方向Ａに沿う方向の移動範囲寸法ｄ２を十分に大きくすることができる。
【００５４】  本実施の形態は、第１の実施の形態および第２の実施の形態の場合よりも、開口部１１からコネクタ５０の距離を遠くせざるを得ない場合、つまり、開口部に対して、より奥まった位置にコネクタ５０を配設せざるを得ない場合に好適である。
【００５５】  上述した本実施の形態のカード収納構造１においては、カード収納構造１を携帯電話に搭載した場合について説明している。しかしながら、本発明に係るカード収納構造においては、これに限られず、例えば、ゲーム機器など、カードを利用する携帯型電子機器に搭載したり、あるいはメモリカードを持ち運ぶための携帯型カードケースに搭載したりすることができる。この場合、携帯型カードケースには、カードに電磁気的に接続するコネクタを設ける必要はない。
【００５６】  以上のように、本発明に係るカード収納トレイ、カード収納構造およびカード収納構造を利用した携帯型電子機器は、カードを保持するトレイをハウジングから容易に取り出すことができるという効果を奏するものであり、カード収納トレイ、カード収納構造およびカード収納構造を利用した携帯型電子機器に有用である。
【符号の説明】
【００５７】  １  カード収納構造
１０  ハウジング
１１  開口部
２０  トレイ
２１  カード保持部
２２  つまみ部
２２ａ  ガイド穴（移動手段）
２２ｂ  係止穴
２３  ガイド軸（移動手段）
２４  切欠部
３０  キャップ
５０  コネクタ
６０  カード
７２  つまみ部
７２ｂ  係止部
７５  軸（移動手段）
７６  つまみ保持部
【要約】
【課題】  カードを保持するトレイをハウジングから容易に取り出すことができるカード収納トレイ、カード収納構造およびカード収納構造を利用した電子機器を提供する。
【解決手段】  電子機器のハウジングの開口部を介して出し入れ可能なカード収納用トレイ２０において、カード６０を保持して開口部を介してハウジングに収納可能なカード保持部２１と、ハウジングに収納されたカード保持部２１を開口部から引き出すためのつまみ部２２と、つまみ部２２を、カード保持部２１に近接する格納位置と、カード保持部２１から離隔する突出位置との間で移動可能とする移動手段２２ａ，２３とを設け、つまみ部２２が、その自重によって格納位置と突出位置との間を移動可能に構成した。
【選択図】図１【図１】
0005454818.tif 000002
【図２】
0005454818.tif 000003
【図３】
0005454818.tif 000004
【図４】
0005454818.tif 000005
【図５】
0005454818.tif 000006
【図６】
0005454818.tif 000007
【図７】
0005454818.tif 000008
【図８】
0005454818.tif 000009
【図９】
0005454818.tif 000010
【図１０】
0005454818.tif 000011